【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】
原稿画像をデジタル画像情報として１頁単位で入力する画像入力手段と、
前記画像入力手段により入力された画像情報を複数頁分記憶する画像記憶手段と、
記録紙を供給する給紙手段と、
複写部数を設定する部数設定手段と、
前記画像記憶手段から前記画像情報を１頁分毎に順次読み出すと共に、前記給紙手段から給紙される記録紙上に順次全頁の画像を形成する動作を前記部数設定手段によって設定された部数と同じ回数繰り返す画像形成手段と、
前記画像形成手段による前記画像形成動作の実行中に前記画像入力手段により新たな原稿束が入力された際に、当該新たな原稿束に対する画像形成動作の追加を予約する予約手段と、
予約を行う作業毎に予約者が予約作業にかかる付加情報を入力する予約作業付加情報入力手段と、
当該予約作業付加情報を通知する予約情報通知手段とを備えた
ことを特徴とするデジタル複写装置。
【請求項２】
前記予約手段によって予約された複数の原稿束の予約の順序を変更する予約変更手段と、
予約情報通知手段で通知された情報の更新を行う予約通知情報更新手段と備えた
ことを特徴とする請求項１に記載のデジタル複写装置。
【請求項３】
前記予約作業付加情報入力手段で入力される情報が、名前または電話番号にかかる情報を含む予約者を識別可能な情報、または前記予約作業の重要度にかかる情報を含む作業の属性を示す情報である、
ことを特徴とする請求項１に記載のデジタル複写装置。
【請求項４】
前記予約作業付加情報入力手段から入力される情報が予約作業の順序変更の可否を示す情報であり、
当該順序変更の不可を示す情報が付加された予約作業は、前記予約変更手段による順番の変更を禁止するように構成されている
ことを特徴とする請求項１に記載のデジタル複写装置。
【請求項５】
前記予約作業付加情報入力手段と前記部数設定手段とによって設定された予約作業毎の前記情報を各予約作業の終了時に出力する予約作業情報頁出力手段を備えた
ことを特徴とする請求項１に記載のデジタル複写装置。
【請求項６】
前記予約作業付加情報入力手段によって入力された前記予約者を識別するための情報を登録する予約者情報登録手段と、
登録された当該予約者を識別するための情報を予約作業時に呼び出すと共に、当該呼び出した情報を入力する登録情報入力手段とを備えた
ことを特徴とする請求項１に記載のデジタル複写装置。
【手続補正２】
【補正対象書類名】明細書
【補正対象項目名】００１１
【補正方法】変更
【補正の内容】
【００１１】
【課題を解決するための手段】
上記課題を解決するため成された請求項１に記載の発明は、原稿画像をデジタル画像情報として１頁単位で入力する画像入力手段と、前記画像入力手段により入力された画像情報を複数頁分記憶する画像記憶手段と、記録紙を供給する給紙手段と、複写部数を設定する部数設定手段と、前記画像記憶手段から前記画像情報を１頁分毎に順次読み出すと共に、前記給紙手段から給紙される記録紙上に順次全頁の画像を形成する動作を前記部数設定手段によって設定された部数と同じ回数繰り返す画像形成手段と、前記画像形成手段による前記画像形成動作の実行中に前記画像入力手段により新たな原稿束が入力された際に、当該新たな原稿束に対する画像形成動作の追加を予約する予約手段と、予約を行う作業毎に予約者が予約作業にかかる付加情報を入力する予約作業付加情報入力手段と、当該予約作業付加情報を通知する予約情報通知手段とを備えたハードウェア構成のデジタル複写装置である。
【手続補正３】
【補正対象書類名】明細書
【補正対象項目名】００１２
【補正方法】変更
【補正の内容】
【００１２】
請求項１に記載の発明によれば、画像データを内部の画像記憶部に蓄え、その蓄えられた画像データを繰り返し出力することが可能なデジタル複写機において、スキャナで原稿を読み込ませ、部数等の設定を実行することで作業の予約を行ったユーザが情報を付加し、その情報を通知することで、その情報を利用して予約作業を効率よく進めることができるようになる。更に加えて、予約機能により、コピー作業を予約したユーザの情報が通知されることにより、その通知情報を利用して予約作業を実行できるようになる。
【手続補正４】
【補正対象書類名】明細書
【補正対象項目名】００１３
【補正方法】変更
【補正の内容】
【００１３】
また請求項２に記載の発明は、請求項１に記載のデジタル複写装置において、前記予約手段によって予約された複数の原稿束の予約の順序を変更する予約変更手段と、予約情報通知手段で通知された情報の更新を行う予約通知情報更新手段と備えたハードウェア構成のデジタル複写装置である。
【手続補正５】
【補正対象書類名】明細書
【補正対象項目名】００１４
【補正方法】変更
【補正の内容】
【００１４】
請求項２に記載の発明によれば、請求項１に記載の効果に加えて、予約の順序を変更する操作が行われた時、それに伴い、付加情報の通知も更新されるので、変更の状況の確認が容易になる。更に加えて、予約の順序の変更が行われた場合にもそれに伴い、ユーザの付加情報も含む予約情報の通知が更新できるようになる。
【手続補正６】
【補正対象書類名】明細書
【補正対象項目名】００５０
【補正方法】変更
【補正の内容】
【００５０】
図９に示すように、表示パネル（予約情報通知手段）２０８でどのＩＤ  Ｎｏ．のジョブについて予約を変更するか表示されるので、テンキー（予約作業付加情報入力手段）２０４とエンターキー（予約作業付加情報入力手段）＃でジョブのＩＤ  Ｎｏ．を入力する（図では“２３”を入力）。
【手続補正７】
【補正対象書類名】明細書
【補正対象項目名】００５１
【補正方法】変更
【補正の内容】
【００５１】
次に、図１０に示すように、変更するジョブをどのＩＤ  Ｎｏ．のジョブの次に挿入するか表示されるので、テンキー（予約通知情報更新手段）２０４とエンターキー（予約通知情報更新手段）＃でジョブのＩＤ  Ｎｏ．を入力する（図１０では“２１”を入力）。
【手続補正８】
【補正対象書類名】明細書
【補正対象項目名】００６１
【補正方法】変更
【補正の内容】
【００６１】
【発明の効果】
請求項１に記載の発明によれば、画像データを内部の画像記憶部に蓄え、その蓄えられた画像データを繰り返し出力することが可能なデジタル複写機において、スキャナで原稿を読み込ませ、部数等の設定を実行することで作業の予約を行ったユーザが情報を付加し、その情報を通知することで、その情報を利用して予約作業を効率よく進めることができるようになる。更に加えて、予約機能により、コピー作業を予約したユーザの情報が表示されることにより、その表示情報を利用して予約作業を実行できるようになる。
【手続補正９】
【補正対象書類名】明細書
【補正対象項目名】００６２
【補正方法】変更
【補正の内容】
【００６２】
また請求項２に記載の発明によれば、請求項１に記載の効果に加えて、予約の順序を変更する操作が行われた時、それに伴い、付加情報の通知も更新されるので、変更の状況の確認が容易になる。更に加えて、予約の順序の変更が行われた場合にもそれに伴い、ユーザの付加情報も含む予約情報の通知が更新できるようになる。
【手続補正１０】
【補正対象書類名】明細書
【補正対象項目名】図面の簡単な説明
【補正方法】変更
【補正の内容】
【図面の簡単な説明】
【図１】
本発明のデジタル複写装置の一実施形態を説明するための機能ブロック図である。
【図２】
図１のデジタル複写装置に設けられている操作パネルの形態を説明している。
【図３】
図１のデジタル複写装置における予約ジョブアドレスのＲＡＭ内における格納状態を説明している。
【図４】
図１のデジタル複写装置における主制御部内の図示していないＲＡＭに記憶されている各ジョブの情報のデータ構造である。
【図５】
図４に示した画像データのスタートアドレス通りに応じて画像データが格納されている状態を示している。
【図６】
図４に示すように、予約情報が各ジョブに記憶されている場合の各ジョブに対応する記憶内容を示している。
【図７】
同図（ａ）〜（ｄ）は、図１のデジタル複写装置における操作パネルの表示パネルに表示されるガイダンス画面を説明している。
【図８】
予約情報を登録した場合に、操作パネルの表に画面にジョブの予約情報が表示された状態を説明している。
【図９】
どのＩＤ  Ｎｏ．のジョブについて予約を変更するかが表示パネルに表示された状態を説明している。
【図１０】
変更するジョブをどのＩＤ  Ｎｏ．のジョブの次に挿入するかが表示パネルに表示された状態を説明している。
【図１１】
図３に示したＲＡＭ内にあらかじめ決められた予約ジョブアドレス格納部分が入れ換えられた状態を説明している。
【図１２】
図１１に示した予約変更後の画面の表示状態を説明している。
【図１３】
ジョブが順番変更不可な場合のメッセージの一表示形態を説明している。
【図１４】
画像記憶部に直接ジョブ情報を書き込んだ場合に、出力可能なコピー仕上がり情報頁の一実施形態を示している。
【図１５】
名前と電話番号を登録するかどうかを選択できる画面の表示形態を説明している。
【図１６】
予約者の情報の入力方法の選択が表示パネル２０８に表示された状態を説明している。
【図１７】
図１６の選択画面において、新規に名前等を入力し、“１”が選択された場合の表示の遷移状態を説明している。
【符号の説明】
１０…デジタル複写装置
１０１…主制御部（予約作業情報頁出力手段）
１０４…スキャナ（画像入力手段）
１０６…画像処理部（画像形成手段）
１０７…画像記憶部（予約作業情報頁出力手段、画像記憶手段）
１０８…記録部（画像形成手段）
２００…操作パネル（部数設定手段、予約作業付加情報入力手段、予約変更手段、予約通知情報更新手段、予約者情報登録手段、登録情報入力手段）
２０４…テンキー（部数設定手段、予約作業付加情報入力手段、予約変更手段、予約通知情報更新手段、予約者情報登録手段、登録情報入力手段）
＃…エンターキー（部数設定手段、予約作業付加情報入力手段、予約変更手段、予約通知情報更新手段、予約者情報登録手段、登録情報入力手段）
２０５…アルファベットキー（予約作業付加情報入力手段、予約変更手段、予約通知情報更新手段、予約者情報登録手段、登録情報入力手段）
２０８…表示パネル（予約情報通知手段）
２１２…予約情報ボタン（予約手段）